(57)【要約】【課題】スライダ浮上量を低減させずに記録密度を向上させることができる情報記録媒体と情報記録装置および情報再生装置を提供する。【解決手段】本発明の情報記録媒体を用いた情報記録装置または情報再生装置は、記録時または再生時に加熱手段を用いて記録媒体の記録領域と記録素子または再生素子との間隔を低減させることが可能となるため、情報記録装置または情報再生装置の装置信頼性を低減させずに情報記録媒体の記録密度向上が実現できる。【選択図】図１
2013222471.tif 000002
【特許請求の範囲】
【請求項１】
情報の記録あるいは再生が可能な情報記録媒体であって、
前記情報記録媒体上に情報を記録するための離散化した微小領域を有し、
前記情報記録媒体表面が平坦になるように前記微小領域間を充填材で充填し、
前記微小領域を構成する材料の線膨張係数が前記充填材の線膨張率よりも大きい
ことを特徴とする情報記録媒体。
【請求項２】
前記微小領域は、
柱形状である
ことを特徴とする
請求項１に記載の情報記録媒体。
【請求項３】
前記微小領域は、
前記情報記録媒体の内部から表面に向かうに従って断面積が大きくなる形状である
ことを特徴とする
請求項１に記載の情報記録媒体。
【請求項４】
情報記録媒体に対して情報記録手段を用いて情報を記録する情報記録装置であって、
前記情報記録媒体には、
前記情報記録媒体上に情報を記録するための離散化した微小領域を有し、
前記情報記録媒体表面が平坦になるように前記微小領域間を充填材で充填し、
前記微小領域を構成する材料の線膨張係数が前記充填材の線膨張率よりも大きい
情報記録媒体を用いることを特徴とし、
前記情報記録媒体を局所的に加熱する加熱手段
を備え、
前記加熱手段は、
記録時に情報を記録する前記情報記録媒体の記録領域を局所的に加熱することで記録領域の表面を隆起させ、
前記情報記録手段は、
表面が隆起した記録領域に対して情報の記録を行う
ことを特徴とする情報記録装置。
【請求項５】
記録時の前記情報記録手段と前記情報記録媒体との間の相対速度に応じて、
前記加熱手段による前記情報記録媒体の記録領域に対する加熱開始から前記情報記録手段による前記情報記録媒体の記録領域に対する記録開始までの時間間隔を変化させる
ことを特徴とする
請求項４に記載の情報記録装置。
【請求項６】
前記情報記録媒体上の情報記録位置に応じて、
前記加熱手段による前記情報記録媒体の記録領域に対する加熱開始から前記情報記録手段による前記情報記録媒体の記録領域に対する記録開始までの時間間隔を変化させる
ことを特徴とする
請求項４に記載の情報記録装置。
【請求項７】
情報記録媒体に対して情報再生手段を用いて情報を再生する情報再生装置であって、
前記情報記録媒体には、
前記情報記録媒体上に情報を記録再生するための離散化した微小領域を有し、
前記情報記録媒体表面が平坦になるように前記微小領域間を充填材で充填し、
前記微小領域を構成する材料の線膨張係数が前記充填材の線膨張率よりも大きい
情報記録媒体を用いることを特徴とし、
前記情報記録媒体を局所的に加熱する加熱手段
を備え、
前記加熱手段は、
再生時に情報を再生する前記情報記録媒体の微小領域を局所的に加熱することで前記微小領域の表面を隆起させ、
前記情報再生手段は、
表面が隆起した前記微小領域に対して情報の再生を行う
ことを特徴とする情報再生装置。
【請求項８】
再生時の前記情報再生手段と前記情報記録媒体との間の相対速度に応じて、
前記加熱手段による前記情報記録媒体の微小領域に対する加熱開始から前記情報再生手段による前記情報記録媒体の微小領域に対する再生開始までの時間間隔を変化させる
ことを特徴とする
請求項７に記載の情報再生装置。
【請求項９】
前記情報記録媒体上の情報再生位置に応じて、
前記加熱手段による前記情報記録媒体の微小領域に対する加熱開始から前記情報再生手段による前記情報記録媒体の微小領域に対する再生開始までの時間間隔を変化させる
ことを特徴とする
請求項８に記載の情報再生装置。
【発明の詳細な説明】
【技術分野】
【０００１】
本発明は、情報を記録再生する情報記録媒体、情報記録装置、および、情報再生装置に関するものである。
【背景技術】
【０００２】
現在、各種情報機器において情報の保存には、ハードディスク装置をはじめとするストレージが広く用いられている。
【０００３】
ハードディスク装置は、情報の記録再生を行うためのヘッドを持ち、その先端には記録素子や再生素子を備えたスライダが取り付けられている。スライダは、ディスク回転によって発生する空気の気流をディスク対向面とディスク表面との間に引き込み、それによりディスク表面に対し浮上している。すなわち、スライダはディスク表面との間に自己加圧式の空気潤滑膜を形成・維持している。したがって、スライダとディスク表面との間隔であるスライダ浮上量は、空気潤滑膜の厚さである。そして、この空気潤滑膜によって、ディスク回転中にスライダとディスクが機械的に接触しにくくなり、摩擦や磨耗が抑制されている。
【先行技術文献】
【特許文献】
【０００４】
【特許文献１】特開２００５−２０９３４０号公報
【発明の概要】
【発明が解決しようとする課題】
【０００５】
近年、情報機器で扱う情報量が急激に増加するに従って、情報を保存するストレージの大容量化が求められている。ストレージの大容量化を実現する手段の一つは、その記録密度を高めることである。
【０００６】
前記したハードディスク装置において高記録密度化を実現するためには、特に記録時における記録素子と記録領域との間隔を小さくすることが重要となる。すなわち、記録素子を備えたスライダとディスク表面との間隔であるスライダ浮上量を小さくすることが重要である。現在、スライダ浮上量は１０ｎｍ程度まで低減化が進んでおり、このスライダ浮上量をさらに低減させることでさらなる高密度化を実現することが可能となる。
【０００７】
しかし、スライダ浮上量の低減は、温度変化や気圧変化といった装置使用環境の変化や装置外部からの振動衝撃、装置内の塵埃といった各種要因によってスライダとディスク表面が機械的に接触する可能性を高めることにつながり、その結果、装置信頼性の低下を招く。特に、スライダ浮上量がディスクの表面粗さで規定されるグライドハイトを下回ると、スライダとディスク表面が接触する可能性が急激に増大し、最悪の場合、スライダの衝突によりディスク上の記録情報が破壊され記録情報が失われる恐れがある。
【０００８】
本発明は上記課題を解決するための情報記録媒体とその情報記録媒体を用いた情報記録装置および情報再生装置とを提供することを目的とする。
【課題を解決するための手段】
【０００９】
上記従来の課題を解決するために、本発明の情報記録媒体は、情報の記録あるいは再生が可能な情報記録媒体であって、情報記録媒体上に情報を記録するための離散化した微小領域を有し、情報記録媒体表面が平坦になるように微小領域間を充填材で充填し、微小領域を構成する材料の線膨張係数が充填材の線膨張率よりも大きいことを特徴とする。
【００１０】
また本発明の情報記録媒体の微小領域は、柱形状であることを特徴とする。
【００１１】
また本発明の情報記録媒体の微小領域は、情報記録媒体の内部から表面に向かうに従って断面積が大きくなる形状であることを特徴とする。
【００１２】
また本発明の情報記録装置は、情報記録媒体に対して情報記録手段を用いて情報を記録する情報記録装置であって、情報記録媒体には、情報記録媒体上に情報を記録するための離散化した微小領域を有し、情報記録媒体表面が平坦になるように微小領域間を充填材で充填し、微小領域を構成する材料の線膨張係数が充填材の線膨張率よりも大きい情報記録媒体を用いることを特徴とし、情報記録媒体を局所的に加熱する加熱手段を備え、加熱手段は、記録時に情報を記録する情報記録媒体の記録領域を局所的に加熱することで記録領域の表面を隆起させ、情報記録手段は、表面が隆起した記録領域に対して情報の記録を行うことを特徴とする。
【００１３】
また本発明の情報記録装置は、記録時の情報記録手段と情報記録媒体との間の相対速度に応じて加熱手段による情報記録媒体の記録領域に対する加熱開始から情報記録手段による情報記録媒体の記録領域に対する記録開始までの時間間隔を変化させることを特徴とする。
【００１４】
また本発明の情報記録装置は、情報記録媒体上の情報記録位置に応じて加熱手段による情報記録媒体の記録領域に対する加熱開始から情報記録手段による情報記録媒体の記録領域に対する記録開始までの時間間隔を変化させることを特徴とする。
【００１５】
また本発明の情報再生装置は、情報記録媒体に対して情報再生手段を用いて情報を再生する情報再生装置であって、情報記録媒体には、情報記録媒体上に情報を記録再生するための離散化した微小領域を有し、情報記録媒体表面が平坦になるように微小領域間を充填材で充填し、微小領域を構成する材料の線膨張係数が充填材の線膨張率よりも大きい情報記録媒体を用いることを特徴とし、情報記録媒体を局所的に加熱する加熱手段を備え、加熱手段は、再生時に情報を再生する情報記録媒体の微小領域を局所的に加熱することで微小領域の表面を隆起させ、情報再生手段は、表面が隆起した微小領域に対して情報の再生を行うことを特徴とする。
【００１６】
また本発明の情報再生装置は、再生時の情報再生手段と情報記録媒体との間の相対速度に応じて、加熱手段による情報記録媒体の微小領域に対する加熱開始から情報再生手段による情報記録媒体の微小領域に対する再生開始までの時間間隔を変化させることを特徴とする。
【００１７】
また本発明の情報再生装置は、情報記録媒体上の情報再生位置に応じて、加熱手段による情報記録媒体の微小領域に対する加熱開始から情報再生手段による情報記録媒体の微小領域に対する再生開始までの時間間隔を変化させることを特徴とする。
【発明の効果】
【００１８】
本発明の情報記録媒体は、情報の記録あるいは再生が可能な情報記録媒体であって、情報記録媒体上に情報を記録するための離散化した微小領域を有し、情報記録媒体表面が平坦になるように微小領域間を充填材で充填し、微小領域を構成する材料の線膨張係数が充填材の線膨張率よりも大きいので、記録時に微小領域を加熱することで微小領域の表面を隆起させることが可能となり、その結果、この情報記録媒体を用いた情報記録装置は、装置信頼性を低下させることなく、情報記録媒体の記録密度の向上が実現できる。
【００１９】
また本発明の情報記録媒体の微小領域は、柱形状であるので、記録時に微小領域を加熱することで記録媒体の表面を隆起させることが可能となり、その結果、この情報記録媒体を用いた情報記録装置は、装置信頼性を低下させることなく、情報記録媒体の記録密度の向上が実現できる。
【００２０】
また本発明の情報記録媒体の微小領域は、情報記録媒体の内部から表面に向かうに従って断面積が大きくなる形状であるので、記録時に微小領域を加熱することで記録媒体の表面を隆起させることが可能となり、その結果、この情報記録媒体を用いた情報記録装置は、装置信頼性を低下させることなく、情報記録媒体の記録密度の向上が実現できる。
【００２１】
また本発明の情報記録装置は、情報記録媒体に対して情報記録手段を用いて情報を記録する情報記録装置であって、情報記録媒体には、情報記録媒体上に情報を記録するための離散化した微小領域を有し、情報記録媒体表面が平坦になるように微小領域間を充填材で充填し、微小領域を構成する材料の線膨張係数が充填材の線膨張率よりも大きい情報記録媒体を用いることを特徴とし、情報記録媒体を局所的に加熱する加熱手段を備え、加熱手段は、記録時に情報を記録する情報記録媒体の記録領域を局所的に加熱することで記録領域の表面を隆起させ、情報記録手段は、表面が隆起した記録領域に対して情報の記録を行うので、記録時に記録素子と記録媒体の表面との間隔を減少させることが可能となり、その結果、装置信頼性を低下させることなく、情報記録媒体の記録密度の向上が実現できる。
【００２２】
また本発明の情報記録装置は、記録時の情報記録手段と情報記録媒体との間の相対速度に応じて加熱手段による情報記録媒体の記録領域に対する加熱開始から情報記録手段による情報記録媒体の記録領域に対する記録開始までの時間間隔を変化させるので、記録実行タイミングに合わせて適切に記録素子と記録媒体の表面との間隔を減少させることが可能となり、その結果、装置信頼性を低下させることなく、情報記録媒体の記録密度の向上が実現できる。
【００２３】
また本発明の情報記録装置は、情報記録媒体上の情報記録位置に応じて加熱手段による情報記録媒体の記録領域に対する加熱開始から情報記録手段による情報記録媒体の記録領域に対する記録開始までの時間間隔を変化させるので、記録実行タイミングに合わせて適切に記録素子と記録媒体の表面との間隔を減少させることが可能となり、その結果、装置信頼性を低下させることなく、情報記録媒体の記録密度の向上が実現できる。
【００２４】
また本発明の情報再生装置は、情報記録媒体に対して情報再生手段を用いて情報を再生する情報再生装置であって、情報記録媒体には、情報記録媒体上に情報を記録再生するための離散化した微小領域を有し、情報記録媒体表面が平坦になるように微小領域間を充填材で充填し、微小領域を構成する材料の線膨張係数が充填材の線膨張率よりも大きい情報記録媒体を用いることを特徴とし、情報記録媒体を局所的に加熱する加熱手段を備え、加熱手段は、再生時に情報を再生する情報記録媒体の微小領域を局所的に加熱することで微小領域の表面を隆起させ、情報再生手段は、表面が隆起した微小領域に対して情報の再生を行う。このため、再生時に再生素子と記録媒体の表面との間隔を減少させることが可能となり、その結果、装置信頼性を低下させることなく、情報記録媒体の記録密度の向上が実現できる。
【００２５】
また本発明の情報再生装置は、再生時の情報再生手段と情報記録媒体との間の相対速度に応じて、加熱手段による情報記録媒体の微小領域に対する加熱開始から情報再生手段による情報記録媒体の微小領域に対する再生開始までの時間間隔を変化させる。このため、再生実行タイミングに合わせて適切に再生素子と記録媒体の表面との間隔を減少させることが可能となり、その結果、装置信頼性を低下させることなく、情報記録媒体の記録密度の向上が実現できる。
【００２６】
また本発明の情報再生装置は、情報記録媒体上の情報再生位置に応じて、加熱手段による情報記録媒体の微小領域に対する加熱開始から情報再生手段による情報記録媒体の微小領域に対する再生開始までの時間間隔を変化させる。このため、再生実行タイミングに合わせて適切に再生素子と記録媒体の表面との間隔を減少させることが可能となり、その結果、装置信頼性を低下させることなく、情報記録媒体の記録密度の向上が実現できる。
【図面の簡単な説明】
【００２７】
【図１】本発明の実施の形態１の情報記録装置の構成を示すブロック図
【図２】本発明の実施の形態１および２における、ディスク１００の構成の一例を示す模式図
【図３】本発明の実施の形態１および２における、ディスクの別の構成の一例を示す模式図
【図４】本発明の実施の形態２の情報再生装置の構成を示すブロック図
【発明を実施するための形態】
【００２８】
以下、本発明の実施の形態について、図面を参照しながら説明する。
【００２９】
（実施の形態１）
図１は実施の形態１における情報記録装置の構成を示すブロック図である。図１に示すように、スライダ１０１は半導体レーザ素子１０２と記録素子１０３とを持つ。
【００３０】
図２は、図１におけるディスク１００の構成の一例を示す模式図である。図２（ａ）は、ディスク１００の上面図である。図２（ａ）において、紙面上下方向がディスク半径方向、紙面左右方向がディスクトラック方向である。図２（ｂ）は、ディスク１００の断面図である。図２（ｂ）において、紙面上下方向がディスク垂直方向、紙面左右方向がディスクトラック方向である。図２（ａ）、（ｂ）に示すように、ディスク１００は情報を記録するための微小領域であるセル１０４が基板１０５上に規則的に配置されたパターンド媒体であり、セル１０４はトラック方向に配列され、セル１０４の列はディスク１００上で同心円状のトラック（図２（ａ）の一点鎖線）を形成する。また図２（ａ）、（ｂ）に示すように、セル１０４はディスク垂直方向に高さを持つ円柱形状である。また図２（ｂ）に示すように、離散化された各セル１０４の間は充填材１０６で満たされており、これによりディスク１００の表面が平坦になっている。ここで、セル１０４およびその周囲の充填材１０６の線膨張係数をそれぞれＫ１、Ｋ２とすると、セル１０４と充填材１０６はＫ１＞Ｋ２の関係が成り立つ材料で作られている。また、ディスク１００は図２（ａ）における紙面左右方向に回転する。
【００３１】
ディスク１００は、基板１０５とセル１０４と充填材１０６とで構成されている。
【００３２】
また、スライダ１０１は、半導体レーザ素子１０２と記録素子１０３とで構成されている。
【００３３】
また、情報記録媒体はディスク１００である。
【００３４】
また、情報記録手段は記録素子１０３である。
【００３５】
また、加熱手段は半導体レーザ素子１０２である。
【００３６】
以上のように構成された情報記録装置の記録動作について説明する。
【００３７】
ディスク１００はディスク回転手段（図示しない）によって所望の回転数で回転する。スライダ１０１はディスク表面に対してディスク対向面を向けて近接しており、ディスク１００が回転すると前述のハードディスク装置におけるスライダの浮上と同様にディスク表面との間に自己加圧式の空気潤滑膜を形成・維持して浮上する。
【００３８】
半導体レーザ素子１０２はディスク１００上の情報を記録すべきセル１０４に対してレーザ光を照射し、セル１０４とその近傍を加熱する。ここで、セル１０４と充填材１０６の線膨張係数Ｋ１、Ｋ２はＫ１＞Ｋ２であるため、加熱による体積変化は充填材１０６に比べセル１０４の方が大きくなる。加熱されたセル１０４は周囲に比べ大きく膨張し、セル１０４は円柱形状であるため、膨張による変形はセル１０４がディスク垂直方向へ伸長する形となる。その結果、セル１０４はディスク表面から突出し、ディスク１００は加熱されたセル１０４の部分が表面から隆起した形状となる。記録素子１０３は加熱により突出したセル１０４に対し、例えばハードディスク装置と同様に磁気記録方式により情報の記録を行う。
【００３９】
ここで、半導体レーザ素子１０２によるセル１０４へのレーザ光照射タイミングと記録素子１０３によるセル１０４への情報記録タイミングについて説明する。
【００４０】
ディスク１００が一定回転数で回転し、セル１０４がディスク１００どの半径位置においてもディスクトラック方向に等間隔に並んでいる場合、スライダ１０１がディスクトラック上のセル１０４を通過する速度はディスク半径位置に応じて異なる。記録素子１０３によるセル１０４への情報の記録は、半導体レーザ素子１０２がセル１０４を加熱し、セル１０４が突出した後に行われる必要があるため、加熱と記録のタイミングは前述した通過速度に応じて変化させる必要がある。つまり、セル１０４を突出させる加熱開始時刻から、突出したセル１０４への情報記録を行う記録開始時刻までの時間間隔を通過速度によって決定することにより、セル１０４の突出とセル１０４への情報記録を適切に行うことができる。
【００４１】
以上の動作によって、半導体レーザ素子１０２を用いて情報を記録すべきセル１０４を加熱し、情報を記録すべきセル１０４が突出した後、記録素子１０３によって情報の記録を行う記録動作が実現される。
【００４２】
以上説明したように、本実施の形態では、半導体レーザ素子１０２を用いてディスク１００上のセル１０４を加熱し、セル１０４を突出させた状態で記録素子１０３によって情報の記録を行う。したがって、情報を記録するための離散化した微小領域であるセル１０４を持つディスク１００に対して記録素子１０３で情報記録を行う情報記録装置において、スライダ浮上量を低減させることなく記録時のセル１０４と記録素子１０３との間隔を低減することが可能となり、その結果、情報記録装置の装置信頼性を低下させることなく情報記録媒体の記録密度の向上が実現できる。
【００４３】
また、半導体レーザ素子１０２を用いてディスク１００上のセル１０４を加熱し、セル１０４を突出させた状態で記録素子１０３によって情報の記録を行う本実施の形態の情報記録装置においては、以下の効果もある。すなわち、記録すべきセル１０４は加熱時に突出した状態であるため、非加熱時に比べて隣接するセル１０４との距離が大きくなる。したがって、記録時に隣接するセル１０４に情報を上書きしてしまうクロスライトの発生を低減させることが可能となり、その結果、情報記録装置の記録性能の向上が実現できる。
【００４４】
なお、本実施の形態においてはセル１０４の形状を円柱状としたが、その断面形状に限定されることはない。すなわち、ディスク垂直方向に伸長する柱状の形状であれば断面形状によらず同様の効果が得られる。
【００４５】
なお、本実施の形態においてはセル１０４の形状を円柱状としたが、以下の形状としても良い。
【００４６】
図３は本実施の形態の情報記録装置におけるディスク上の情報を記録するための微小領域であるセルの形状について別の例を示す模式図である。図２と同様の部分には同じ番号を付し、その説明を省略する。
【００４７】
図３（ｂ）は、ディスク３００の断面図である。図３（ａ）、（ｂ）に示すように、セル３０４はディスク垂直方向にディスク３００の内部から表面に向かうに従って断面積が大きくなる形状である。本構成のディスク３００を用いると、情報記録時の加熱による突出が円柱形状であるセル１０４を持つディスク１００よりも容易に実現できる。したがって、情報を記録するための離散化した微小領域であるセル３０４を持つディスク３００に対して記録素子１０３で情報記録を行う情報記録装置において、スライダ浮上量を低減させることなく記録時のセル３０４と記録素子１０３との間隔を低減することが可能となり、その結果、情報記録装置の装置信頼性を低下させることなく情報記録媒体の記録密度の向上が実現できる。
【００４８】
なお、本実施の形態においては、記録素子１０３による情報の記録方法をハードディスク装置と同様に磁気記録方式によって実現するとしたが、その方法に限定されることはない。
【００４９】
すなわち、例えば光ディスク装置で用いられる相変化材料を照射光の加熱によって相変化させることで情報の記録を行う相変化記録方式等であっても同様の効果が得られる。
【００５０】
もしくは、例えば、近接場光発生素子を用いる記録方式であっても良い。すなわち、近接場光発生素子から出射される近接場光を情報記録媒体に照射し、情報記録媒体の記録領域の光学特性を変化させることで、情報の記録を行う方式であっても良い。すなわち、実施の形態１における情報記録手段は、近接場光発生素子を含んでいても良い。
【００５１】
なお、本実施の形態においては、情報記録時にセル１０４を突出させる加熱開始時刻から突出したセル１０４への情報記録を行う記録開始時刻までの時間間隔を通過速度によって決定する構成としたが、以下の構成としてもよい。
【００５２】
すなわち、スライダ１０１がディスクトラック上のセル１０４を通過する速度はディスク半径位置に応じて異なるため、情報を記録すべきディスク半径位置から加熱開始時刻から記録開始時刻までの時間間隔を決定する構成としても同様の効果が得られる。
【００５３】
（実施の形態２）
図４は実施の形態２における情報再生装置の構成を示すブロック図である。図４に示すように、スライダ４０１は半導体レーザ素子４０２と再生素子４０３とを持つ。
【００５４】
なお、実施の形態２におけるディスクの構成は、実施の形態１と同様に、例えば、図２、図３に示すディスク１００の構成である。
【００５５】
すなわち、実施の形態２における情報記録媒体は、情報記録媒体上に、情報を記録再生するための離散化した微小領域を有している。また、情報記録媒体表面が平坦になるように、微小領域間が、充填材で充填されている。このとき、微小領域を構成する材料の線膨張係数が、充填材の線膨張率よりも大きい。
【００５６】
実施の形態２における情報再生装置は、この情報記録媒体から情報を再生する情報再生装置である。
【００５７】
また、スライダ４０１は、半導体レーザ素子４０２と再生素子４０３とで構成されている。
【００５８】
また、情報記録媒体はディスク１００である。
【００５９】
また、情報再生手段は再生素子４０３である。
【００６０】
また、加熱手段は半導体レーザ素子４０２である。
【００６１】
以上のように構成された情報再生装置の再生動作について説明する。
【００６２】
ディスク１００はディスク回転手段（図示しない）によって所望の回転数で回転する。スライダ４０１はディスク表面に対してディスク対向面を向けて近接しており、ディスク１００が回転すると前述のハードディスク装置におけるスライダの浮上と同様にディスク表面との間に自己加圧式の空気潤滑膜を形成・維持して浮上する。
【００６３】
半導体レーザ素子４０２はディスク１００上の情報を再生すべきセル１０４に対してレーザ光を照射し、セル１０４とその近傍を加熱する。ここで、セル１０４と充填材１０６の線膨張係数Ｋ１、Ｋ２はＫ１＞Ｋ２であるため、加熱による体積変化は充填材１０６に比べセル１０４の方が大きくなる。加熱されたセル１０４は周囲に比べ大きく膨張し、セル１０４は円柱形状であるため、膨張による変形はセル１０４がディスク垂直方向へ伸長する形となる。その結果、セル１０４はディスク表面から突出し、ディスク１００は加熱されたセル１０４の部分が表面から隆起した形状となる。再生素子４０３は加熱により突出したセル１０４に対し、例えばハードディスク装置と同様に磁気再生方式により情報の再生を行う。
【００６４】
ここで、半導体レーザ素子４０２によるセル１０４へのレーザ光照射タイミングと再生素子４０３によるセル１０４からの情報再生タイミングについて説明する。
【００６５】
ディスク１００が一定回転数で回転し、セル１０４がディスク１００どの半径位置においてもディスクトラック方向に等間隔に並んでいる場合、スライダ４０１がディスクトラック上のセル１０４を通過する速度はディスク半径位置に応じて異なる。再生素子４０３によるセル１０４からの情報の再生は、半導体レーザ素子４０２がセル１０４を加熱し、セル１０４が突出した後に行われる必要があるため、加熱と再生のタイミングは前述した通過速度に応じて変化させる必要がある。つまり、セル１０４を突出させる加熱開始時刻から、突出したセル１０４からの情報再生を行う再生開始時刻までの時間間隔を通過速度によって決定することにより、セル１０４の突出とセル１０４からの情報再生を適切に行うことができる。
【００６６】
以上の動作によって、半導体レーザ素子４０２を用いて情報を再生すべきセル１０４を加熱し、情報を再生すべきセル１０４が突出した後、再生素子４０３によって情報の再生を行う再生動作が実現される。
【００６７】
以上説明したように、本実施の形態では、半導体レーザ素子４０２を用いてディスク１００上のセル１０４を加熱し、セル１０４を突出させた状態で再生素子４０３によって情報の再生を行う。したがって、情報を記録再生するための離散化した微小領域であるセル１０４を持つディスク１００に対して再生素子４０３で情報再生を行う情報再生装置において、スライダ浮上量を低減させることなく再生時のセル１０４と再生素子４０３との間隔を低減することが可能となり、その結果、情報再生装置の装置信頼性を低下させることなく情報記録媒体の記録密度の向上が実現できる。
【００６８】
また、半導体レーザ素子４０２を用いてディスク１００上のセル１０４を加熱し、セル１０４を突出させた状態で再生素子４０３によって情報の再生を行う本実施の形態の情報再生装置においては、以下の効果もある。すなわち、再生すべきセル１０４は加熱時に突出した状態であるため、非加熱時に比べて隣接するセル１０４との距離が大きくなる。したがって、再生時に隣接するセル１０４から情報を読み出してしまう可能性を低減させることが可能となり、その結果、情報再生装置の再生性能の向上が実現できる。
【００６９】
なお、本実施の形態においては、再生素子４０３による情報の再生方法をハードディスク装置と同様に磁気再生方式によって実現するとしたが、その方法に限定されることはない。
【００７０】
すなわち、例えば、相変化材料を含むセルに対して、再生用のレーザをセルに照射した場合に、セルの状態が非結晶状態であるか結晶状態であるか（記録状態であるか未記録状態であるか）に応じて変化する、セルからの反射光に基づいて、情報を再生する方式であっても良い。
【００７１】
もしくは、例えば、プラズモン共鳴素子を用いた再生方式であっても良い。これについて、以下、詳細に説明する。
【００７２】
プラズモン共鳴素子は、情報記録媒体の記録領域の記録状態に応じて共鳴状態が変化する。これは、例えば、共鳴素子と共鳴素子に近接する記録領域とのプラズモン共鳴において、記録領域が記録済みの状態であるか、未記録の状態であるかに応じて、そのプラズモン共鳴の度合いが変化するためである。また、記録領域と共鳴状態にあるプラズモン共鳴素子に光を照射すると、そのプラズモン共鳴素子からの反射光、もしくは、透過光は、そのプラズモン共鳴素子の共鳴状態によって変化する。このため、ある記録領域と共鳴状態にあるプラズモン共鳴素子からの反射光、もしくは、透過光は、その記録領域の記録状態に応じて変化することになる。そこで、この反射光、もしくは、透過光の変化を検出する共鳴状態検出手段を用いることで、特定の記録領域が記録状態であるか未記録状態であるかを検出できる。これを利用して、情報記録媒体から情報の再生ができる。
【００７３】
以上のように、例えば、プラズモン共鳴素子を用いた再生方式の場合、実施の形態２における情報再生手段は、プラズモン共鳴素子と、共鳴状態検出手段とを含んでいても良い。
【００７４】
なお、本実施の形態においては、情報再生時にセル１０４を突出させる加熱開始時刻から突出したセル１０４からの情報再生を行う再生開始時刻までの時間間隔を通過速度によって決定する構成としたが、以下の構成としてもよい。
【００７５】
すなわち、スライダ４０１がディスクトラック上のセル１０４を通過する速度はディスク半径位置に応じて異なるため、情報を再生すべきディスク半径位置から加熱開始時刻から再生開始時刻までの時間間隔を決定する構成としても同様の効果が得られる。
【００７６】
なお、実施の形態１および２においては、半導体レーザ素子１０２または半導体レーザ素子４０２を用いてレーザ光を照射することでセル１０４の加熱を実現するとしたが、この加熱方法に限定されることはない。
【００７７】
すなわち、例えば、近接場光発生素子から出射される近接場光を、情報記録媒体に照射することにより、情報記録媒体を局所的に加熱する方法であっても良い。すなわち、実施の形態１および２における加熱手段は、近接場光発生素子を含んでいても良い。
【００７８】
なお、実施の形態１および実施の形態２は、組み合わされても良い。すなわち、実施の形態１および実施の形態２で示した加熱手段に加え、実施の形態１で示した情報記録手段と、実施の形態２で示した情報再生手段とを、どちらも備える情報記録再生装置を構成しても良い。
【００７９】
以上のように、実施の形態における、情報記録媒体、情報記録装置、および、情報再生装置は、主に下記の構成を有している。
【００８０】
すなわち、実施の形態における情報記録媒体は、情報の記録あるいは再生が可能な情報記録媒体であって、情報記録媒体上に情報を記録するための離散化した微小領域を有している。また、情報記録媒体表面が平坦になるように微小領域間が充填材で充填されている。このとき、微小領域を構成する材料の線膨張係数が充填材の線膨張率よりも大きい。
【００８１】
以上の構成によれば、記録時または再生時に微小領域を加熱することで微小領域の表面を隆起させることが可能となる。その結果、この情報記録媒体を用いた情報記録装置または情報再生装置は、装置信頼性を低下させることなく、情報記録媒体の記録密度の向上が実現できる。
【００８２】
また、実施の形態における情報記録媒体においては、微小領域は、柱形状であっても良い。
【００８３】
以上の構成によれば、記録時または再生時に微小領域を加熱することで記録媒体の表面を隆起させることが可能となる。その結果、この情報記録媒体を用いた情報記録装置または情報再生装置は、装置信頼性を低下させることなく、情報記録媒体の記録密度の向上が実現できる。
【００８４】
また、実施の形態における情報記録媒体においては、微小領域は、情報記録媒体の内部から表面に向かうに従って断面積が大きくなる形状であっても良い。
【００８５】
以上の構成によれば、記録時または再生時に微小領域を加熱することで記録媒体の表面を隆起させることが可能となる。その結果、この情報記録媒体を用いた情報記録装置または情報再生装置は、装置信頼性を低下させることなく、情報記録媒体の記録密度の向上が実現できる。
【００８６】
また、実施の形態における情報記録装置は、情報記録媒体に対して情報記録手段を用いて情報を記録する情報記録装置である。ここで、情報記録媒体は、情報記録媒体上に情報を記録するための離散化した微小領域を有し、情報記録媒体表面が平坦になるように微小領域間を充填材で充填し、微小領域を構成する材料の線膨張係数が充填材の線膨張率よりも大きい。このとき、情報記録装置は、情報記録媒体を局所的に加熱する加熱手段を備えている。加熱手段は、記録時に情報を記録する情報記録媒体の記録領域を局所的に加熱することで記録領域の表面を隆起させる。このとき、情報記録手段は、表面が隆起した記録領域に対して情報の記録を行う。
【００８７】
以上の構成によれば、記録時に記録素子と記録媒体の表面との間隔を減少させることが可能となる。その結果、装置信頼性を低下させることなく、情報記録媒体の記録密度の向上が実現できる。
【００８８】
また、実施の形態における情報記録装置は、記録時の情報記録手段と情報記録媒体との間の相対速度に応じて加熱手段による情報記録媒体の記録領域に対する加熱開始から情報記録手段による情報記録媒体の記録領域に対する記録開始までの時間間隔を変化させても良い。
【００８９】
以上の構成によれば、記録実行タイミングに合わせて適切に記録素子と記録媒体の表面との間隔を減少させることが可能となる。その結果、装置信頼性を低下させることなく、情報記録媒体の記録密度の向上が実現できる。
【００９０】
また、実施の形態における情報記録装置は、情報記録媒体上の情報記録位置に応じて加熱手段による情報記録媒体の記録領域に対する加熱開始から情報記録手段による情報記録媒体の記録領域に対する記録開始までの時間間隔を変化させても良い。
【００９１】
以上の構成によれば、記録実行タイミングに合わせて適切に記録素子と記録媒体の表面との間隔を減少させることが可能となる。その結果、装置信頼性を低下させることなく、情報記録媒体の記録密度の向上が実現できる。
【００９２】
また、実施の形態における情報再生装置は、情報記録媒体に対して情報再生手段を用いて情報を再生する情報再生装置である。ここで、情報記録媒体は、情報記録媒体上に情報を記録再生するための離散化した微小領域を有し、情報記録媒体表面が平坦になるように微小領域間を充填材で充填し、微小領域を構成する材料の線膨張係数が充填材の線膨張率よりも大きい。このとき、情報記録媒体を局所的に加熱する加熱手段を備える。加熱手段は、再生時に情報を再生する情報記録媒体の微小領域を局所的に加熱することで微小領域の表面を隆起させる。このとき、情報再生手段は、表面が隆起した微小領域に対して情報の再生を行う。
【００９３】
以上の構成によれば、再生時に再生素子と記録媒体の表面との間隔を減少させることが可能となる。その結果、装置信頼性を低下させることなく、情報記録媒体の記録密度の向上が実現できる。
【００９４】
また、実施の形態における情報再生装置は、再生時の情報再生手段と情報記録媒体との間の相対速度に応じて、加熱手段による情報記録媒体の微小領域に対する加熱開始から情報再生手段による情報記録媒体の微小領域に対する再生開始までの時間間隔を変化させても良い。
【００９５】
以上の構成によれば、再生実行タイミングに合わせて適切に再生素子と記録媒体の表面との間隔を減少させることが可能となる。その結果、装置信頼性を低下させることなく、情報記録媒体の記録密度の向上が実現できる。
【００９６】
また、実施の形態における情報再生装置は、情報記録媒体上の情報再生位置に応じて、加熱手段による情報記録媒体の微小領域に対する加熱開始から情報再生手段による情報記録媒体の微小領域に対する再生開始までの時間間隔を変化させても良い。
【００９７】
以上の構成によれば、再生実行タイミングに合わせて適切に再生素子と記録媒体の表面との間隔を減少させることが可能となる。その結果、装置信頼性を低下させることなく、情報記録媒体の記録密度の向上が実現できる。
【産業上の利用可能性】
【００９８】
本発明の情報記録媒体と情報記録装置と情報再生装置は、記録時または再生時に情報記録媒体の記録領域の表面を突出させた状態で記録または再生を実行するため、スライダ浮上動作時に記録素子を用いて情報記録を実現する情報記録装置、または、再生素子を用いて情報再生を実現する情報再生装置において、スライダ浮上量を低減させることなく記録領域と記録素子または再生素子との間隔を低減させることが可能となり、情報記録装置または情報再生装置の信頼性を低下させることなく、情報記録媒体の記録密度向上が実現できる。よって、この応用機器である大容量のディスクレコーダやディスクプレーヤやコンピュータ用メモリ装置などに利用することができる。
【符号の説明】
【００９９】
１００    ディスク
１０１    スライダ
１０２    半導体レーザ素子
１０３    記録素子
１０４    セル
１０５    基板
１０６    充填材
３００    ディスク
３０４    セル
４０１    スライダ
４０２    半導体レーザ素子
４０３    再生素子
【図１】
2013222471.tif 000003
【図２】
2013222471.tif 000004
【図３】
2013222471.tif 000005
【図４】
2013222471.tif 000006